(57)【要約】【課題】本発明は、捕集した糸くず等のゴミを簡単に廃棄することができる洗濯機用ろ過装置を提供する。【解決手段】本発明の洗濯機用ろ過装置Ｆは、表面板３０と裏面板４０とが対向し合うように配置され、前記表面板３０及び前記裏面板４０のうちの少なくとも前記表面板３０にはフィルタ部３３と指掛部３１とが設けられると共に、前記表面板３０及び前記裏面板４０のうちの少なくとも前記裏面板４０には、当該表面板３０と当該裏面板４０との間に洗濯水を導入する導入開口４１が形成され、前記表面板３０と前記裏面板４０との一端同士が回動軸を介して軸支されて当該表面板３０及び当該裏面板４０が相対的に前記回動軸周りに回動自在になっており、当該表面板３０及び当該裏面板４０の少なくとも一方は、当該回動軸に対して着脱自在に取り付けられていることを特徴とする。【選択図】図７
2014210001.tif 000002
【特許請求の範囲】
【請求項１】
表面板と裏面板とが対向し合うように配置され、
前記表面板及び前記裏面板のうちの少なくとも前記表面板にはフィルタ部と指掛部とが設けられると共に、前記表面板及び前記裏面板のうちの少なくとも前記裏面板には、当該表面板と当該裏面板との間に洗濯水を導入する導入開口が形成され、
前記表面板と前記裏面板との一端同士が回動軸を介して軸支されて当該表面板及び当該裏面板が相対的に前記回動軸周りに回動自在になっており、当該表面板及び当該裏面板の少なくとも一方は、当該回動軸に対して着脱自在に取り付けられていることを特徴とする洗濯機用ろ過装置。
【請求項２】
請求項１に記載の洗濯機用ろ過装置において、
前記表面板と前記裏面板との間には、前記導入開口から前記フィルタ部に至る洗濯水の流路途中に、洗濯水の逆流防止壁が形成されていることを特徴とする洗濯機用ろ過装置。
【請求項３】
請求項１又は請求項２に記載の洗濯機用ろ過装置において、
前記表面板と前記裏面板との間には、洗濯水を前記導入開口から前記フィルタ部に案内する案内板が設けられていることを特徴とする洗濯機用ろ過装置。
【請求項４】
請求項１から請求項３のいずれか１項に記載の洗濯機用ろ過装置において、
前記フィルタ部が略格子状に形成されていることを特徴とする洗濯機用ろ過装置。
【請求項５】
請求項１から請求項４のいずれか１項に記載の洗濯機用ろ過装置が洗濯槽に取り付けられた洗濯機であって、
前記指掛部が前記洗濯槽の深さの半分の位置よりも上方に位置していることを特徴とする洗濯機。
【発明の詳細な説明】
【技術分野】
【０００１】
本発明は、洗濯水に含まれる糸くず等のごみをろ過する洗濯機用ろ過装置及びこれを取り付けた洗濯機に関する。
【背景技術】
【０００２】
従来、洗濯槽内の洗濯水に含まれる糸くず等を捕集する捕集装置としては、袋状のフィルタの開放側を枠状の取付部材に取り付けたものが知られている（例えば、特許文献１参照）。この捕集装置は、洗濯槽の内壁に取付部材を介して袋状のフィルタが取り付けられる構成となっている。具体的には、枠状の取付部材の四隅から突出する鉤状爪を洗濯槽側に形成した孔に引っ掛けるように差し込んで取り付ける構成となっている。
この捕集装置では、洗濯時に洗濯槽内で流れる洗濯水に同伴する糸くず等が袋状のフィルタ内に捕集されることとなる。
【先行技術文献】
【特許文献】
【０００３】
【特許文献１】特開２０１０−１３６９０４号公報
【発明の概要】
【発明が解決しようとする課題】
【０００４】
しかしながら、この捕集装置は、フィルタに捕集された糸くず等を廃棄する際に、まず４つの鉤状爪と各孔との引っ掛かりを解いて洗濯槽から取付部材を取り外す必要がある。また、袋状の内側のフィルタ面に付着した糸くず等は、袋状のフィルタを裏返して、袋状の外側（裏返した内側）のフィルタ面にあてがった一方の手指上で、当該糸くず等を他方の手指にて摘み取る必要がある。よって、従来の捕集装置は、捕集した糸くず等の廃棄が極めて煩雑であった。
【０００５】
そこで、本発明の課題は、捕集した糸くず等のゴミを簡単に廃棄することができる洗濯機用ろ過装置及びこれを取り付けた洗濯機を提供することにある。
【課題を解決するための手段】
【０００６】
前記課題を解決した本発明の洗濯機用ろ過装置は、表面板と裏面板とが対向し合うように配置され、前記表面板及び前記裏面板のうちの少なくとも前記表面板にはフィルタ部と指掛部とが設けられると共に、前記表面板及び前記裏面板のうちの少なくとも前記裏面板には、当該表面板と当該裏面板との間に洗濯水を導入する導入開口が形成され、前記表面板と前記裏面板との一端同士が回動軸を介して軸支されて当該表面板及び当該裏面板が相対的に前記回動軸周りに回動自在になっており、当該表面板及び当該裏面板の少なくとも一方は、当該回動軸に対して着脱自在に取り付けられていることを特徴とする。
また、前記課題を解決した本発明の洗濯機は、前記の洗濯機用ろ過装置が洗濯槽に取り付けられた洗濯機であって、前記指掛部が前記洗濯槽の深さの半分の位置よりも上方に位置していることを特徴とする。
【発明の効果】
【０００７】
本発明によれば、捕集した糸くず等のゴミを簡単に廃棄することができる洗濯機用ろ過装置及びこれを取り付けた洗濯機を提供することができる。
【図面の簡単な説明】
【０００８】
【図１】本発明の実施形態に係る洗濯機の構成説明図である。
【図２】ろ過装置収容ケースに組み付けた洗濯機用ろ過装置の正面図である。
【図３】ろ過装置収容ケースと、このろ過装置収容ケースから取り外された洗濯機用ろ過装置の斜視図である。
【図４】図３の洗濯機用ろ過装置のIV−IV断面図である。
【図５】ろ過装置収容ケースに組み付けた洗濯機用ろ過装置における洗濯水の流れを示す側面断面図である。
【図６】洗濯機用ろ過装置の逆流防止壁及び案内板付近を拡大して示す部分拡大側面断面図である。
【図７】洗濯機用ろ過装置の表面板と裏面板とをヒンジ周りに回動させて開いた様子を示す斜視図である。
【図８】洗濯機用ろ過装置のヒンジにて表面板と裏面板とを分離した様子を示す部分拡大側面断面図である。
【図９】他の実施形態に係る洗濯機用ろ過装置の斜視図である。
【発明を実施するための形態】
【０００９】
次に、本発明の実施形態について、適宜図面を参照しながら詳細に説明する。
本発明の実施形態に係る洗濯機は、後記する洗濯機用ろ過装置を取り付けたものであり、以下では、洗濯機の全体構成について説明した後に、本実施形態の洗濯機用ろ過装置について詳細に説明する。
【００１０】
＜洗濯乾燥機＞
図１は、本発明の実施形態に係る洗濯機（洗濯乾燥機）の構成説明図である。
図１に示すように、洗濯乾燥機１は、洗濯兼脱水槽８（内槽）の回転軸が略鉛直方向の縦型式洗濯機（縦型式洗濯乾燥機）である。この洗濯乾燥機１の筐体２の上部には上面カバー２ａが設けられており、上面カバー２ａには外蓋３が設けられている。外蓋３は、山型に折れ曲がりながら後ろ側に開くことにより、開口部２ｂを開口し、洗濯兼脱水槽８に衣類等（洗濯物）が出し入れ可能になっている。
【００１１】
上面カバー２ａの奥側（後側）には、水道栓からの給水ホース接続口４及び風呂の残り湯を吸引する吸水ホース接続口（図示省略）が設けられている。
洗濯乾燥機１は、筐体２内に、洗濯兼脱水槽８、外槽９、駆動装置１０、洗剤・仕上剤の投入装置１１、給水ユニット１２Ａ、乾燥ダクト２０等を備えている。
洗濯兼脱水槽８は、有底円筒形状を呈し、ステンレス鋼板等で形成された胴板８ａを有している。胴板８ａには、通水及び通風のための多数の貫通孔８ａ１（一部のみ図示）が形成されている。洗濯兼脱水槽８は、内側底面に回転翼８ｂを備える。
【００１２】
外槽９は、有底円筒形状を呈し、洗濯兼脱水槽８を同軸上に内包し、その上部に外槽カバー９ａを備えて構成されている。洗濯乾燥機１のユーザは、外蓋３及び外槽カバー９ａの蓋部材９ｃを開くことにより、開口部２ｂから洗濯兼脱水槽８内に洗濯物の出し入れを行うことができる。
【００１３】
駆動装置１０は、外槽９の底面の外側中央に配置されている。この駆動装置１０は、モータ１０ａとクラッチ機構１０ｂとを有し、駆動装置１０の回転軸１０ｃが外槽９を貫通し、洗濯兼脱水槽８及び回転翼８ｂと結合するように構成されている。クラッチ機構１０ｂは、モータ１０ａの回転動力を洗濯兼脱水槽８及び回転翼８ｂの少なくともいずれかに伝達する機能を有する。モータ１０ａは、その回転を検出するホール素子あるいはフォトインタラプタ等で構成される回転検出装置２８と、モータ１０ａに流れる電流を検出するモータ電流検出装置２９を備える。
投入装置１１は、上面カバー２ａの手前側に備えられる。洗剤や仕上剤の投入は、投入ホース１１ａにより水道水と共に外槽９と洗濯兼脱水槽８の間に行われる。
【００１４】
給水ユニット１２Ａは、上面カバー２ａの奥側に設けられる。この給水ユニット１２Ａは、給水ホース接続口４からの水道水を投入装置１１、水冷除湿機構（図示省略）へ給水する。また、給水ユニット１２Ａは、給水ホース接続口４からの水道水や吸水ホース接続口からの風呂水を、注水ホース１１ｂを介して、外槽９と洗濯兼脱水槽８の間から外槽９内に注水することができる。また、給水ユニット１２Ａは、給水ホース接続口４からの水道水を、洗浄ホース１１ｃを介して洗濯兼脱水槽８の上部に注水することができる。
【００１５】
外槽９の底面に設けられた落込部９ｍは、下部連通管１３と連通している。下部連通管１３は、排水弁１４を介して、洗濯水排水路１５と連通するように接続されている。
そして、この洗濯水排水路１５には、機外に排水を送り出す図示しない排水ホースが接続されている。
ちなみに、排水弁１４を閉弁することにより、外槽９内に洗い水やすすぎ水を貯水可能となる。また、排水弁１４を開弁することにより、外槽９内の水（洗い水、すすぎ水）を、洗濯水排水路１５を介して、洗濯乾燥機１の機外へ排水することができる。
また、下部連通管１３は、筐体２の下部に設置された異物除去装置１６及び循環ポンプ１７を介して洗濯水循環水路１８（一部省略）と連通するように接続されている。
【００１６】
循環ポンプ１７を駆動すると、外槽９内の水が、落込部９ｍ及び下部連通管１３を介して異物除去装置１６に流入し異物が除去され、循環ポンプ１７の吸込口に流入する。循環ポンプ１７から送られた水は、洗濯水循環水路１８を介して糸くず除去装置に流入し糸くずが除去され、糸くずが除去された水（循環水）は洗濯兼脱水槽８内に上部から散水される。
【００１７】
乾燥ダクト２０は、筐体２の背面内側に縦方向に設置され、ダクト下部は外槽９の落込部９ｍとゴム製の蛇腹管２０ａによって接続されている。乾燥ダクト２０内には、水冷除湿機構（図示省略）が内蔵されており、給水ユニット１２Ａは、この水冷除湿機構に冷却水（水道水）を供給する。冷却水は乾燥ダクト２０の壁面（ステンレス製等の金属プレート）を伝わって流下して落込部９ｍに入り、下部連通管１３、洗濯水排水路１５を通り機外へ排出される。
【００１８】
乾燥ダクト２０の出口はファン２１の吸気口と接続され、ファン２１の出口はヒータ２２と接続されている。ヒータ２２の出口は、送風ダクト２３及びゴム製の蛇腹管２３ａを介して、吹出ノズル２４と接続されている。
つまり、ファン２１が駆動すると、外槽９内の空気が落込部９ｍを介して乾燥ダクト２０に流れ込む。そして、乾燥ダクト２０で水冷除湿された空気は、ファン２１から吐出され、次いでヒータ２２で加熱された後、高温低湿の風となって吹出ノズル２４から洗濯兼脱水槽８内に向けて吹き出される。
なお、図示していないが、下部連通管１３と排水弁１４の間には、洗濯水の温度や、乾燥運転中に洗濯水排水路１５から機外に排出される空気の温度を検出する温度センサが設けられている。
【００１９】
洗濯兼脱水槽８は、胴板８ａの上端縁部に合成樹脂等で形成されたバランスリング（流体バランサともいう）８ｃを備えている。このバランスリング８ｃは、その内部に比重の大きな流体を封入して構成され、洗濯兼脱水槽８の回転時に洗濯物の偏り等によって偏心が生じたときに、バランスリング８ｃ内での流体の移動によって偏心をキャンセルし、回転のバランスを維持する働きを有する。
【００２０】
外槽カバー９ａは、略半円形状の投入口を有し、外槽９の上端縁部に取り付けられる。なお、投入口には、開閉可能に取り付けられた蓋部材９ｃが設けられている。また、図示しないが、外槽カバー９ａの奥側（後側）には、洗濯水循環水路１８の端部が接続される接続口、蛇腹管２３ａが接続される接続口、後記する槽洗浄用の洗浄ホース１１ｃが接続される接続口が設けられている。
外槽カバー９ａには、水路部材２５が複数のねじを介して外槽カバー９ａの下面に固定されている。この水路部材２５は、略環状形状に形成されており、外槽カバー９ａの周縁部に沿って周回するよう配置されている。
【００２１】
＜ろ過装置収容ケース及び洗濯機用ろ過装置＞
図１に示すように、本実施形態の洗濯乾燥機１は、２組の洗濯機用ろ過装置Ｆ（以下、単に「ろ過装置Ｆ」という）を備えており、ろ過装置Ｆ，Ｆ同士は、互いに対向するように、洗濯兼脱水槽８の内周面に取り付けられている。更に詳しく説明すると、ろ過装置Ｆは、ろ過装置収容ケース５０を介して洗濯兼脱水槽８の内周面に取り付けられている。
【００２２】
本実施形態でのろ過装置収容ケース５０及びろ過装置Ｆは、樹脂で形成されているが、所定の機械的強度、加工性が得られればこれに限定されることなく、金属等の他の材料で形成することもできる。
【００２３】
次に参照する図２は、ろ過装置収容ケースに組み付けたろ過装置の正面図である。図３は、ろ過装置収容ケースと、このろ過装置収容ケースから取り外されたろ過装置の斜視図である。
図２に示すように、ろ過装置収容ケース５０は、洗濯兼脱水槽８の上下方向（深さ方向）に延在する正面視で矩形の略板状体で形成されている。なお、洗濯兼脱水槽８は、特許請求の範囲にいう「洗濯槽」に相当する。
【００２４】
このろ過装置収容ケース５０は、洗濯兼脱水槽８の内周面との間に洗濯水が通流可能な間隙５（図３参照）を残して洗濯兼脱水槽８の内周面を所定幅Ｂで覆うように配置されている。
そして、ろ過装置Ｆは、このろ過装置収容ケース５０の所定幅Ｂ方向（洗濯兼脱水槽８の周方向）の中央部下方寄りに配置されている。
なお、図２中、符号３１は、後記するろ過装置Ｆの指掛部である。
【００２５】
図３に示すように、ろ過装置収容ケース５０は、ろ過装置Ｆが組み付けられる部分に、このろ過装置Ｆが収まる形状の凹部５１が形成されている。そして、凹部５１の深さは、ろ過装置Ｆの厚さに応じて設定されている。これにより、この凹部５１に収められたろ過装置Ｆの前面は、凹部５１の周囲でろ過装置収容ケース５０と面一となる。
【００２６】
凹部５１には、この凹部５１に収められたろ過装置Ｆにおける後記の洗濯水の導入開口４１（図４参照）に対応するように、ケース側開口５２が形成されている。
【００２７】
このケース側開口５２は、ろ過装置収容ケース５０と、洗濯兼脱水槽８の内周面との間に形成される間隙５に連通している。この間隙５の断面形状は、洗濯兼脱水槽８の周方向の円弧と、ろ過装置収容ケース５０の後面の直線とで区画される、薄い三日月形状を呈している。そして、この間隙５は、ろ過装置収容ケース５０の下端の洗濯水導入口６と連通し、洗濯水導入口６の開口部は、洗濯兼脱水槽８の中央側を向いている。
【００２８】
また、凹部５１内の上側には、ろ過装置Ｆの後記する係止爪３２が嵌入されて係止される係止穴５３が形成されている。凹部５１内の下側には、ろ過装置Ｆの下端を受け止める位置に、ろ過装置ＦのヒンジＨが嵌入される嵌入穴４２が形成されている。
なお、この凹部５１内に次に説明するろ過装置Ｆが配置された際に、ろ過装置Ｆの後側で凹部５１との間に僅かな間隙７（図５参照）が形成されることとなる。
【００２９】
次に、ろ過装置Ｆについて説明する。なお、以下のろ過装置Ｆの説明における上下左右前後の方向は、洗濯兼脱水槽８の内周面に取り付ける状態で洗濯兼脱水槽８の中央側から見た手前側をろ過装置Ｆの前側、向かって洗濯兼脱水槽８の周方向左側をろ過装置Ｆの左側、洗濯兼脱水槽８の上側をろ過装置Ｆの上側とした、図３の前後左右上下を基準とする。
【００３０】
図３に示すように、ろ過装置Ｆは、薄く上下に長い略直方体形状を有し、その内側は中空になっている。ろ過装置Ｆの上部中央には係止爪３２を有し、下部中央にはヒンジＨを有している。
【００３１】
係止爪３２は、ろ過装置収容ケース５０の前記係止穴５３に嵌入されることにより、ろ過装置Ｆの上端をろ過装置収容ケース５０に支持する。
この係止爪３２は、板体を屈曲させて形成されており、ろ過装置Ｆの上端に接続される板体が後側に向けて延出する途中で前側に向けて折り返されるように形成され、断面視で略Ｕ字状を呈している。この係止爪３２は、バネ弾性を有しており、Ｕ字を形成する上板及び下板が上下方向に弾発力をもって変位可能となっている。また、係止爪３２の上板の上面には、突起３２ａが形成されている。なお、図示しないが、ろ過装置収容ケース５０の係止穴５３の上壁（天井）には、凹部５１にろ過装置Ｆが配置された際に、係止爪３２の突起３２ａを受け入れる穴が形成されている。
【００３２】
ヒンジＨは、下方に突出するように形成されている。このヒンジＨは、後に詳しく説明するように、ろ過装置Ｆの表面板３０の下端と、裏面板４０の下端とを軸支することで、このヒンジＨ周りにこれら表面板３０と裏面板４０とを相対的に回動させる構成となっている。
そして、ヒンジＨは、前記のとおり、ろ過装置収容ケース５０に形成される前記嵌入穴４２に嵌入されることにより、ろ過装置Ｆの下端をろ過装置収容ケース５０に支持する。
【００３３】
また、ろ過装置Ｆの前側には、上下方向の少なくとも下半分を占めるようにフィルタ部３３が形成され、フィルタ部３３が形成されていないろ過装置Ｆの前側の上部には、左右横長の窪みで指掛部３１が形成されている。
フィルタ部３３は、略格子状の枠部３３ａで複数の孔部３３ｂが区画され、これらの孔部３３ｂは、中空のろ過装置Ｆの内外を連通させている。
そして、各孔部３３ｂを遮るようにメッシュ状のフィルタ材料３３ｃが配置されている。
ちなみに、ろ過装置Ｆの前側に設けられるフィルタ部３３の略格子状の枠部３３ａは、洗濯時に洗濯物が洗濯兼脱水槽８内で攪拌される際にこれに擦れることで、いわゆる洗濯板効果を発揮する。
【００３４】
本実施形態での指掛部３１は、ろ過装置Ｆの正面視で横長楕円形状を呈しているが、その形状は特に制限はなく、横長の矩形であってもよい。
ちなみに、本実施形態での指掛部３１は、ろ過装置収容ケース５０に対するろ過装置Ｆの着脱時に、ユーザの親指の腹を前記の係止爪３２にあてがった際に、少なくとも人さし指を挿し入れる幅及び深さのものを想定している。この指掛部３１の横幅は、人さし指及び中指の二指、ないしは親指及び小指を除く他の三指が挿し入れ可能な程度に設定されることが望ましいがこれに限定されるものではない。
【００３５】
また、ろ過装置収容ケース５０対するろ過装置Ｆの位置、ないしはろ過装置Ｆにおける指掛部３１の位置Ｐは、図２に示すように、洗濯兼脱水槽８（洗濯槽）の深さＤ１の半分の位置よりも上方であることが望ましい。また、洗濯兼脱水槽８の開口からの距離Ｄ２は、２０ｃｍ以内とすることが望ましい。ちなみに、本実施形態での指掛部３１の位置Ｐは、指掛部３１の縦幅の中央位置で規定している。
【００３６】
図４に示すように、ろ過装置Ｆは、前側に配置される表面板３０と、後側に配置される裏面板４０と、を備えて構成されている。つまり、表面板３０は、ろ過装置Ｆの前側半体を形成し、裏面板４０は、ろ過装置Ｆの後側半体を形成している。
これら表面板３０及び裏面板４０同士は、互いに貝合わせされることによりその内側に中空部を形成している。
【００３７】
表面板３０には、前記の係止爪３２と、指掛部３１と、フィルタ部３３と、後記する裏面板４０の軸部４３と協働してヒンジＨを構成するフック部３４と、が形成されている。
フック部３４は、表面板３０と裏面板４０とが重ね合わせられた状態で、軸部４３の後半周面と当接するようにＵ字状を形成している。このフック部３４については、裏面板４０の軸部４３と共に後に詳しく説明する。
【００３８】
また、表面板３０の係止爪３２の基端部には、次に説明する裏面板４０の第１の係合凹部４４ａと嵌合する第１の係合突起３５ａを有している。また、表面板３０のフック部３４の基端部には、次に説明する裏面板４０の第２の係合凹部４４ｂと嵌合する第２の係合突起３５ｂを有している。
【００３９】
裏面板４０には、ろ過装置Ｆがろ過装置収容ケース５０（図３参照）に収容された際に前記のケース側開口５２（図３参照）に対応する位置に、洗濯水の導入開口４１が形成されている。この導入開口４１は、中空のろ過装置Ｆの内外を連通させている。本実施形態での導入開口４１は、裏面板４０の上下方向の略中央に形成されている。
【００４０】
また、裏面板４０は、表面板３０との間に洗濯水の逆流防止壁４５を有している。本実施形態での逆流防止壁４５は、表面板３０のフィルタ部３３と対向する裏面板４０の内壁から表面板３０側に向けて立ち上がるように形成されている。具体的には、逆流防止壁４５は、導入開口４１の直ぐ下方で隣接するように裏面板４０の内壁に立設されている。つまり、逆流防止壁４５は、導入開口４１を介してろ過装置Ｆ内に導入された洗濯水が、フィルタ部３３からろ過装置Ｆ外に抜けて流れていく流路途中に形成されている。
このような逆流防止壁４５は、導入開口４１からろ過装置Ｆの内側に導入された洗濯水が、再び導入開口４１に向けて流れようとする逆流を遮ることとなる。
【００４１】
また、裏面板４０は、表面板との間に案内板３６を有している。本実施形態での案内板３６は、導入開口４１の直ぐ上方で隣接するように裏面板４０の内壁に立設されている。具体的には、導入開口４１の直ぐ上方からフィルタ部３３の上端に向けて延出している。ちなみに、本実施形態での導入開口４１の上縁は、フィルタ部３３よりも上方に位置しているので、案内板３６は、裏面板４０の内壁から下り勾配となるように傾斜して形成されている。
このような案内板３６は、導入開口４１からろ過装置Ｆの内側に導入された洗濯水をフィルタ部３３に向けて流れるように案内することとなる。
【００４２】
また、裏面板４０の下端には、表面板３０のフック部３４に支承させる、軸部４３が形成されており、この軸部４３は、フック部３４と共に前記のヒンジＨを構成している。
そして、フック部３４は、前記したように、裏面板４０と表面板３０とが重ね合わせられた状態で、軸部４３の後側から当接するＵ字状を呈している。つまり、裏面板４０と表面板３０とが重ね合わせられた状態では、軸部４３からフック部３４を離反させることはできないが、後記するように裏面板４０に対して表面板３０を１８０°反転させると（図８参照）、Ｕ字の開放側から軸部４３が離脱可能となって、軸部４３からフック部３４を離反できるようになっている。
図４中、符号４４ａは、表面板３０の第１の係合突起３５ａと係合する前記の第１の係合凹部であり、符号４４ｂは、表面板３０の第２の係合突起３５ｂと係合する前記の第２の係合凹部である。
【００４３】
次に、本発明の実施形態に係るろ過装置Ｆ及びこれを備える洗濯乾燥機１の作用効果について説明する。
ユーザがろ過装置Ｆを洗濯乾燥機１（図１参照）に取り付ける場合には、図３に示すろ過装置Ｆを把持する。ユーザは、例えば人さし指を指掛部３１に差し込み、親指の腹を係止爪３２の上面にあてがってろ過装置Ｆを把持する。次に、ユーザは、ろ過装置Ｆを把持したまま、そのヒンジＨをろ過装置収容ケース５０の嵌入穴４２に嵌入した後、係止爪３２をろ過装置収容ケース５０の係止穴５３に嵌入する。これにより、ろ過装置Ｆはろ過装置収容ケース５０に収容・支持される。そして、ろ過装置収容ケース５０と洗濯兼脱水槽８の内周面との間に形成される間隙５（図３参照）は、ケース側開口５２及び導入開口４１（図４参照）を介してろ過装置Ｆの内側（中空部）と連通することとなる。
【００４４】
図５は、ろ過装置収容ケースに組み付けた洗濯機用ろ過装置における洗濯水の流れを示す側面断面図である。図６は、洗濯機用ろ過装置の逆流防止壁及び案内板付近を拡大して示す部分拡大側面断面図である。図７は、ろ過装置の表面板と裏面板とを回動軸周りに回動させて開いた様子を示す斜視図である。図８は、洗濯機用ろ過装置のヒンジにて表面板と裏面板とを分離した様子を示す部分拡大側面断面図である。
【００４５】
図１に示す本実施形態の洗濯乾燥機１では、外槽９内に洗濯水が溜められて洗濯兼脱水槽８内で洗濯物の洗濯が行われる際に、回転翼８ｂは、洗濯兼脱水槽８内の洗濯水を攪拌する。
この洗濯時における回転翼８ｂの煽りによって、糸くず等のごみを含む洗濯水は、ろ過装置収容ケース５０（図３参照）の下端の洗濯水導入口６（図３参照）を介してろ過装置収容ケース５０と洗濯兼脱水槽８の内周面との間の間隙５内に導かれる。
【００４６】
そして、図５に示すように、糸くず等を同伴する洗濯水Ｗは、間隙５内を上行し、ろ過装置収容ケース５０のケース側開口５２及びろ過装置Ｆの導入開口４１を通過してろ過装置Ｆ内に導入された後、フィルタ部３３からろ過装置Ｆ外に送り出されていく。
なお、図５中、符号８は、洗濯兼脱水槽であり、符号６は、洗濯水導入口である。
【００４７】
この際、洗濯水Ｗは、図６に示すように、案内板３６によって導入開口４１からフィルタ部３３に向かって案内されて円滑に流れていく。また、ろ過装置Ｆ内に導入された洗濯水Ｗは、逆流防止壁４５によって導入開口４１への逆流が防止される。
そのため、ろ過装置Ｆ内に導入された洗濯水Ｗは、フィルタ部３３から効率よくろ過装置Ｆ外に送り出されていく。
これにより、本実施形態のろ過装置Ｆによれば、洗濯水Ｗに含まれる糸くず等のごみをフィルタ部３３で効率よく捕集することができる。
【００４８】
次に、ろ過装置Ｆで捕集した糸くず等のごみを廃棄する手順について説明する。
ユーザは、ろ過装置Ｆをろ過装置収容ケース５０から取り外す。この際、ユーザは、前記したろ過装置収容ケース５０に対するろ過装置Ｆの取り付けと逆の工程を辿る。具体的には、ユーザは、例えば、人さし指を指掛部３１に挿し入れ、親指の腹を係止爪３２の上面にあてがう。そして、親指で係止爪３２の上面を押し下げることで係止穴５３に対する係止爪３２の係止を解くと共に、親指と人さし指とで把持したろ過装置Ｆを引き上げるようにしてヒンジＨを嵌入穴４２から抜き出してろ過装置Ｆをろ過装置収容ケース５０から取り外す。
【００４９】
この際、指掛部３１の位置Ｐが洗濯兼脱水槽８（洗濯槽）の深さＤ１の半分の位置よりも上方となるように設定されるか、或いは指掛部３１の位置Ｐが洗濯兼脱水槽８の開口からの２０ｃｍ以内に設定されることで、ユーザは、ろ過装置Ｆを洗濯兼脱水槽８から容易に取り外すことができる。
【００５０】
次に、図７に示すように、ユーザがろ過装置Ｆの表面板３０と裏面板４０とを引き離すと、ヒンジＨ周りに表面板３０と裏面板４０とが相対的に回動して、ろ過装置Ｆの内部（中空部）が露出する。
これにより、ユーザは、洗濯水からろ過された糸くず等のごみをフィルタ部３３の内側に視認することができる。そして、表面板３０自体にフィルタ部３３が設けられているので、ユーザは容易にろ過された糸くず等のごみをフィルタ部３３から取り除いて廃棄することができる。
ちなみに、表面板３０と裏面板４０とが相対的に回動して、ろ過装置Ｆの内部（中空部）が露出する際には、第１の係合突起３５ａと第１の係合凹部４４ａとの係合、及び第２の係合突起３５ｂと第２の係合凹部４４ｂとの係合は解かれる。
【００５１】
そして、フィルタ部３３のごみを除去した後、再び表面板３０と裏面板４０とを貝合わせにする際には、第１の係合突起３５ａと第１の係合凹部４４ａとは係合し、第２の係合突起３５ｂと第２の係合凹部４４ｂとは係合する。これにより表面板３０と裏面板４０とが閉じ合った状態が維持されることとなる。
なお、図７中、符号４１は、導入開口であり、符号３１は指掛部であり、符号３２は係止爪であり、符号３６は案内板である。また、符号４９はフィルタ部３３と対向する裏面板４０の内側に形成された補強リブである。
【００５２】
また、ろ過装置Ｆは、図８に示すように、ヒンジＨが軸部４３とフック部３４とで形成されており、前記したように、表面板３０と裏面板４０とが重ね合わせられた状態（図４参照）から表面板３０を裏面板４０に対して１８０°反転させることで軸部４３からフック部３４が離反可能となる。つまり、表面板３０と裏面板４０とは相互に分離することができる。
これにより、フィルタ部３３からのごみの除去が更に容易になると共に、漂白剤等の薬剤浸漬時、乾燥時等における取り扱いを効率よく行うことができる。
【００５３】
以上、本発明の実施形態について説明したが、本発明は前記実施形態に限定されず、種々の形態で実施することができる。
前記実施形態では、ヒンジＨは、ろ過装置Ｆの下端中央部に設けられているが、表面板３０及び裏面板４０を相対的にヒンジＨ周りに回動できればよくヒンジＨの位置は特に制限はない。図９は、他の実施形態に係るろ過装置の斜視図であり、後側からろ過装置を見た斜視図である。
【００５４】
図９に示すように、このろ過装置Ｆにおいては、ヒンジＨは、ろ過装置Ｆの下端の両側に一対設けられている。また、図示しないが、ヒンジＨは上端に設けることもできるし、左右側縁のいずれか一方に設けることもできる。
【００５５】
また、フィルタ部３３は、表面板３０と裏面板４０との両方に設けることができる。ちなみに、このろ過装置Ｆでは、導入開口４１からろ過装置Ｆ内に導入された洗濯水は、表面板３０のフィルタ部３３からろ過装置Ｆ外に送り出されると共に、裏面板４０のフィルタ部３３を通じてもろ過装置Ｆ外に送り出される。この際、裏面板４０のフィルタ部３３を通じてろ過装置Ｆ外に送り出される洗濯水は、ろ過装置収容ケース５０とろ過装置Ｆとの間隙７（図５参照）及び導入開口４１を介して、再びろ過装置Ｆ内に導入されることとなる。
なお、図９中、符号３２は、係止爪であり、符号４８は、表面板３０の下端中央に設けられ、ろ過装置収容ケース５０の嵌入穴４２に嵌入される支持切片である。なお、この支持切片４８は、裏面板４０の下端中央に設けることもできる。
また、前記実施形態では、洗濯水の導入開口４１が裏面板４０に形成されているが、導入開口４１は裏面板４０に加えて表面板３０にも形成することができる。
【符号の説明】
【００５６】
１      洗濯乾燥機
８      洗濯兼脱水槽（洗濯槽）
３０    表面板
３１    指掛部
３２    係止爪
３３    フィルタ部
３３ａ  枠部
３３ｂ  孔部
３３ｃ  フィルタ材料
３４    フック部
３６    案内板
４０    裏面板
４１    導入開口
４２    嵌入穴
４３    軸部
４５    逆流防止壁
４８    支持切片
５０    ろ過装置収容ケース
５２    ケース側開口
５３    係止穴
Ｆ      ろ過装置
Ｈ      ヒンジ
Ｗ      洗濯水
【図１】
2014210001.tif 000003
【図２】
2014210001.tif 000004
【図３】
2014210001.tif 000005
【図４】
2014210001.tif 000006
【図５】
2014210001.tif 000007
【図６】
2014210001.tif 000008
【図７】
2014210001.tif 000009
【図８】
2014210001.tif 000010
【図９】
2014210001.tif 000011